【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  一つまたは複数の情報出力装置から所定の情報を送信させるための送信要求と、その送信要求の対象となる一つまたは複数の前記情報出力装置の識別子とを、所定の電波を用いて送信する送信手段と、
地図を表示するとともに、前記送信要求の対象となる前記一つまたは複数の情報出力装置が設置されている位置に関する位置情報を表示する表示手段と、
前記送信手段が送信した前記識別子を有する前記情報出力装置に対応する無線子機からの、前記送信要求に対応する情報と前記識別子との組を受信する受信手段と、
前記受信手段が受信した前記送信要求に対応する情報と前記識別子との組を記録する記録手段とを備えた可搬型無線端末であって、
前記無線子機は、対応する前記情報出力装置の識別子を記憶しており、前記送信手段が送信した一つまたは複数の識別子のなかに自らが記憶している識別子が含まれている場合、前記対応する情報出力装置に対して、前記送信要求に対応する情報を出力させるように制御し、前記対応する情報出力装置から前記送信要求に対応する情報を入力した場合、前記可搬型無線端末に対して、前記入力した情報を、前記対応する情報出力装置の識別子とともに、所定の電波を用いて送信する機器であり、
前記情報出力装置は、固有の識別子を有しており、対応する前記無線子機の制御にしたがって、前記送信要求に対応する情報を、前記対応する前記無線子機に出力する装置である
ことを特徴とする可搬型無線端末。
【請求項２】  前記可搬型無線端末本体の位置を特定する位置特定手段をさらに備え、
前記表示手段は、前記位置特定手段によって特定された前記可搬型無線端末本体の位置を表示する
ことを特徴とする請求項１に記載の可搬型無線端末。
【請求項３】  一つまたは複数の情報出力装置から所定の情報を送信させるための送信要求と、その送信要求の対象となる一つまたは複数の前記情報出力装置の識別子とを、所定の電波を用いて送信する送信手段と、
可搬型無線端末本体の位置を特定する位置特定手段と、
前記位置特定手段によって特定された前記可搬型無線端末本体の位置と、前記送信要求の対象となる前記情報出力装置が設置されている位置に関する位置情報と、前記送信手段からの前記電波の到達範囲とに基づいて、前記送信要求を受信することができる無線子機に対応する前記情報出力装置の識別子を特定する識別子特定手段と、
前記送信手段が送信した前記識別子を有する前記情報出力装置に対応する無線子機からの、前記送信要求に対応する情報と前記識別子との組を受信する受信手段と、
前記受信手段が受信した前記送信要求に対応する情報と前記識別子との組を記録する記録手段とを備えた可搬型無線端末であって、
前記送信手段は、前記識別子特定手段によって特定された識別子を送信し、
前記無線子機は、対応する前記情報出力装置の識別子を記憶しており、前記送信手段が送信した一つまたは複数の識別子のなかに自らが記憶している識別子が含まれている場合、前記対応する情報出力装置に対して、前記送信要求に対応する情報を出力させるように制御し、前記対応する情報出力装置から前記送信要求に対応する情報を入力した場合、前記可搬型無線端末に対して、前記入力した情報を、前記対応する情報出力装置の識別子とともに、所定の電波を用いて送信する機器であり、
前記情報出力装置は、固有の識別子を有しており、対応する前記無線子機の制御にしたがって、前記送信要求に対応する情報を、前記対応する前記無線子機に出力する装置である
ことを特徴とする可搬型無線端末。
【請求項４】  前記位置特定手段によって特定された前記可搬型無線端末本体の位置と、前記位置情報と、前記送信手段からの前記電波の到達範囲とに基づいて、前記可搬型無線端末の操作者に対して、移動すべき位置を指示する指示手段をさらに備えたことを特徴とする請求項３に記載の可搬型無線端末。
【請求項５】  請求項１記載の可搬型無線端末の、一つまたは複数の情報出力装置から所定の情報を送信させるための送信要求と、その送信要求の対象となる一つまたは複数の前記情報出力装置の識別子とを、所定の電波を用いて送信する送信手段と、
地図を表示するとともに、前記送信要求の対象となる前記一つまたは複数の情報出力装置が設置されている位置に関する位置情報を表示する表示手段と、
前記送信手段が送信した前記識別子を有する前記情報出力装置に対応する無線子機からの、前記送信要求に対応する情報と前記識別子との組を受信する受信手段と、
前記受信手段が受信した前記送信要求に対応する情報と前記識別子との組を記録する記録手段としてコンピュータを機能させるためのプログラムを記録したプログラム記録媒体であって、コンピュータにより処理可能であることを特徴とするプログラム記録媒体。
【請求項６】  請求項３記載の可搬型無線端末の、一つまたは複数の情報出力装置から所定の情報を送信させるための送信要求と、その送信要求の対象となる一つまたは複数の前記情報出力装置の識別子とを、所定の電波を用いて送信する送信手段と、
可搬型無線端末本体の位置を特定する位置特定手段と、
前記位置特定手段によって特定された前記可搬型無線端末本体の位置と、前記送信要求の対象となる前記情報出力装置が設置されている位置に関する位置情報と、前記送信手段からの前記電波の到達範囲とに基づいて、前記送信要求を受信することができる無線子機に対応する前記情報出力装置の識別子を特定する識別子特定手段と、
前記送信手段が送信した前記識別子を有する前記情報出力装置に対応する無線子機からの、前記送信要求に対応する情報と前記識別子との組を受信する受信手段と、
前記受信手段が受信した前記送信要求に対応する情報と前記識別子との組を記録する記録手段としてコンピュータを機能させるためのプログラムを記録したプログラム記録媒体であって、コンピュータにより処理可能であることを特徴とするプログラム記録媒体。
【手続補正２】
【補正対象書類名】明細書
【補正対象項目名】００２５
【補正方法】変更
【補正の内容】
【００２５】
第５の本発明（請求項５に対応）は、第１の本発明の可搬型無線端末の、一つまたは複数の情報出力装置から所定の情報を送信させるための送信要求と、その送信要求の対象となる一つまたは複数の前記情報出力装置の識別子とを、所定の電波を用いて送信する送信手段と、
地図を表示するとともに、前記送信要求の対象となる前記一つまたは複数の情報出力装置が設置されている位置に関する位置情報を表示する表示手段と、
前記送信手段が送信した前記識別子を有する前記情報出力装置に対応する無線子機からの、前記送信要求に対応する情報と前記識別子との組を受信する受信手段と、
前記受信手段が受信した前記送信要求に対応する情報と前記識別子との組を記録する記録手段としてコンピュータを機能させるためのプログラムを記録したプログラム記録媒体であって、コンピュータにより処理可能であることを特徴とするプログラム記録媒体である。
また、第６の本発明は（請求項６に対応）は、第３の本発明の可搬型無線端末の、一つまたは複数の情報出力装置から所定の情報を送信させるための送信要求と、その送信要求の対象となる一つまたは複数の前記情報出力装置の識別子とを、所定の電波を用いて送信する送信手段と、
可搬型無線端末本体の位置を特定する位置特定手段と、
前記位置特定手段によって特定された前記可搬型無線端末本体の位置と、前記送信要求の対象となる前記情報出力装置が設置されている位置に関する位置情報と、前記送信手段からの前記電波の到達範囲とに基づいて、前記送信要求を受信することができる無線子機に対応する前記情報出力装置の識別子を特定する識別子特定手段と、
前記送信手段が送信した前記識別子を有する前記情報出力装置に対応する無線子機からの、前記送信要求に対応する情報と前記識別子との組を受信する受信手段と、
前記受信手段が受信した前記送信要求に対応する情報と前記識別子との組を記録する記録手段としてコンピュータを機能させるためのプログラムを記録したプログラム記録媒体であって、コンピュータにより処理可能であることを特徴とするプログラム記録媒体である。